(57)【要約】【課題】従来にあっては、充電器以外に、携帯電話機を立てた状態で保持しておくような装置はとくに無かった。【解決手段】携帯電話機Ｔを載置する支持板１０と、支持板１０の端部に回動可能に連結され且つ携帯電話機Ｔの側部を保持する第１及び第２の保持枠１１，１２を備えた携帯電話機用スタンドＳ１であって、充電器以外の保持手段として好適であると共に、内蔵されたデジタルカメラ等を使用する際に便利なものであり、また、不使用時には、支持板１０と保持枠１１，１２を重合状態にすることでコンパクトなものとなる。【選択図】　　図１
2004065854.tif 000002
【特許請求の範囲】
【請求項１】
携帯電話機を載置する支持板と、支持板の端部に回動可能に連結され且つ携帯電話機の側部を保持する保持枠を備えたことを特徴とする携帯電話機用スタンド。
【請求項２】
保持枠の端部に回動可能に連結され且つ携帯電話機の側部を保持する第２の保持枠を備えていることを特徴とする携帯電話機用スタンド。
【請求項３】
支持板の上面に滑り止めを設けたことを特徴とする請求項１又は２に記載の携帯電話機用スタンド。
【請求項４】
支持板の下面に鏡を設けたことを特徴とする請求項１〜３のいずれかに記載の携帯電話機用スタンド。
【発明の詳細な説明】
【０００１】
【発明の属する技術分野】
本発明は、携帯電話機を立てた状態で保持するのに用いる携帯電話機用スタンドに関するものである。
【０００２】
【従来の技術】
一般に、不使用時の携帯電話機は、充電器にセットしておくか、鞄類に入れたり適当な場所に置いたりすることが多い。また、近年では、デジタルカメラを内蔵した携帯電話機があり、このような携帯電話機では、手に持った状態でカメラを操作することが殆どである。そして、従来にあっては、充電器以外に、携帯電話機を立てた状態で保持しておくような装置はとくに無かった。
【０００３】
【発明の目的】
本発明は、上記従来の状況に鑑みて成されたもので、携帯電話機の充電器以外の保持手段として好適であると共に、内蔵されたデジタルカメラ等を使用する際に便利である携帯電話機用スタンドを提供することを目的としている。
【０００４】
【課題を解決するための手段】
本発明の携帯電話機用スタンドは、携帯電話機を載置する支持板と、支持板の端部に回動可能に連結され且つ携帯電話機の側部を保持する保持枠を備えたことを特徴としている。
【０００５】
【発明の作用】
本発明の携帯電話機用スタンドでは、支持板に対して保持枠を適当な角度に回動させた状態にし、支持板に載置した携帯電話機を保持枠の内側に立てた状態にして保持する。また、不使用時には、支持板と保持枠を重合状態にすることでコンパクトなものとなる。
【０００６】
【発明の効果】
本発明の携帯電話機用スタンドによれば、携帯電話機を立てた状態にして保持することができ、これにより、表示部分を確認し易くすることができると共に、デジタルカメラを内蔵した携帯電話機に適用すれば、例えば自分を撮影する場合などに非常に便利なものとなる。また、当該スタンドは、ＰＯＰ用の展示台として利用することも可能であって、この場合には、携帯電話機を目立つ状態に展示することができる。さらに、当該スタンドは、構造が非常に簡単であり、軽量化や安価に提供することが可能であると共に、不使用時にはコンパクトに折り畳むことができるので、携帯性にも優れている。
【０００７】
【実施例】
図１（ａ）に示す第１実施例の携帯電話機用スタンドＳ１は、携帯電話機Ｔを載置する支持板１０と、支持板１０の端部に一端部を回動可能に連結した第１保持枠１１と、第１保持枠１１の他端部に端部を回動可能に連結した第２保持枠１２を備えている。
【０００８】
この実施例の場合、支持板１０、第１及び第２の保持枠１１，１２は、いずれもプラスチック製であり、ほぼ同一の縦横寸法を有する矩形状であると共に、ほぼ同一の厚さを有している。第１及び第２の保持枠１１，１２は、一般に普及している携帯電話機Ｔが挿通し得る程度の開口寸法を有し、携帯電話機Ｔの側部を保持する。なお、支持板１０、第１及び第２の保持枠１１，１２には、適宜の色彩（透明を含む）や装飾を施すことも可能である。
【０００９】
支持板１０と第２保持枠１２の端部両側には、その辺に沿って円筒部１０Ａ，１２Ａが一体成形してある。これに対して、第２保持枠１１の両端部の各中央には、その辺に沿って円筒部１１Ａ，１１Ｂが一体成形してある。そして、支持板１０、第１及び第２の保持枠１１，１２は、支持板１０の円筒部１０Ａと第１保持枠１１の一端部の円筒部１１Ａにヒンジピン１３を挿入すると共に、第１保持枠１１の他端部の円筒部１１Ｂと第２保持枠１２の円筒部１２Ａにヒンジピン１４を挿入することにより、互いに回動可能に連結してある。
【００１０】
このとき、各円筒部１０Ａ，１１Ａ，１１Ｂ，１２Ａの内周面と各ヒンジピン１３，１４の外周面は、適当な摩擦力をもって摺動可能に接触している。これにより、支持板１０、第１及び第２の保持枠１１，１２は、互いに任意の回動位置を保つことができる。
【００１１】
また、支持板１０は、携帯電話機Ｔを載置する上面に滑り止め１５が設けてあり、この滑り止め１５により、保持した携帯電話機Ｔの姿勢がより一層安定するようにしてある。この滑り止め１５には、例えばアクリル系熱可塑性エラストマーが用いられるが、その他の樹脂類を用いることも当然可能である。さらに、図１（ｂ）に示すように、支持板１の下面には鏡１６が設けてある。したがって、例えば、携帯電話機Ｔに内蔵したデジタルカメラで自分の撮影をする際に、身だしなみを整えるのに便利である。
【００１２】
この実施例の携帯電話機用スタンドＳ１は、図１（ａ）に示す如く、支持板１０に対して第１保持枠１１を適当な角度に回動させると共に、第１保持枠１１に対して第２保持枠１２を適当な角度に回動させた状態にし、支持板１０に載置した携帯電話機Ｔを第１及び第２の保持枠１１，１２の内側に立てた状態にして保持する。これにより、表示部分が確認し易くなると共に、携帯電話機Ｔに内蔵したデジタルカメラで自分の撮影をする際に非常に便利なものとなる。
【００１３】
また、当該スタンドＳ１は、第１及び第２の保持枠１１，１２の回動角度を変えることで、携帯電話機Ｔの姿勢を調整することが可能であり、とくに、回動角度を大きくして両保持枠１１，１２により携帯電話機Ｔを拘束することも可能である。さらに、不使用時には、図１（ｂ）に示す如く、支持板１０、第１及び第２の保持枠１１，１２が重なるようにコンパクトに折り畳むことができ、なお且つプラスチック製で軽量であるため、携帯することも容易である。
【００１４】
図２に示す第２実施例の携帯電話機用スタンドＳ２は、略楕円形状の支持板２０と、概略矩形状の第１保持枠２１と、概略矩形状に成形したステンレスワイヤーから成る第２保持枠２２を備えている。
【００１５】
支持板２０と第１保持枠２１は、第１実施例と同様に、円筒部２０Ａ，２１Ａとヒンジピン２３により、互いに回動可能に連結してある。第１保持枠２１と第２保持枠２２は、第１保持枠２１に形成した円筒部２１Ｂに第２保持枠２２を直接装着することで、互いに回動可能に連結してある。また、支持板２０には、第１実施例と同様に、滑り止め２５と図示しない鏡が設けてあるほか、周縁部全体にわたって、第１保持枠３１の厚さ程度の高さ寸法を有する堤部２０Ｂが設けてある。
【００１６】
この実施例の携帯電話機用スタンドＳ２は、第１実施例のものと同様の効果を得ることができるうえに、第２保持枠２２にステンレスワイヤを用いたことで、より軽量化されたものとなり、しかも、折り畳んだ状態においては、第１及び第２の保持枠２１，２２が支持板２０の堤部２０Ｂの内側に収容され、より薄型化されたものとなる。
【００１７】
図３（ａ）（ｂ）に示す第３実施例の携帯電話機用スタンドＳ３は、三角形状の支持板３０と、同じく三角形状の保持枠３１を備えている。この実施例における支持板３０と保持枠３１は、樹脂により一体成形してあって、図３（ｃ）に示すように、可撓性を有する薄肉部３７Ａにより互いの一辺同士が回動可能に連結してある。
【００１８】
また、保持枠３１の頂部には、薄肉部３７Ｅを介して、先端側にくびれ部３７Ｂを有する支持脚３７Ｃが設けてあり、これに対して、支持板３０の頂部には、支持脚３７Ｃのくびれ部３７Ｂが係合する係合孔３７Ｄが形成してある。
【００１９】
さらに、支持板３０の下面には、当該スタンドＳ３を支持する三脚が設けてある。この三脚は、両端にボール部３８Ａを有する３本の脚３８と、支持板３０の３つの角部に対して各脚３８を夫々連結する連結部３９を備えている。各連結部３９は、脚３８のボール部３８Ａと球面対偶を成す凹部を有すると共に、図３（ｄ）に示すように、側部の一部に切欠部３９Ａが形成してある。
【００２０】
この実施例の携帯電話機用スタンドＳ３は、図３（ａ）（ｂ）に示す如く、支持脚３７Ｃのくびれ部３７Ｂを係合孔３７Ｄに係合することにより、支持板３０に対して保持枠３１が所定の回動角度で維持され、支持板３０に載置した携帯電話機Ｔを保持枠３１の内側に立てた状態にして保持する。また、連結部３９に対して夫々の脚３８を回動させることで三脚の開度を変えることができ、これにより、保持した携帯電話機Ｔの姿勢を調整することができる。
【００２１】
さらに、当該スタンドＳ３は、不使用時には、支持板３０、保持枠３１及び支持脚３７Ｃを重合する一方で、図３（ｄ）に示す如く各脚３８を切欠部３９Ａ側に倒すことで各脚３８が支持板３０の下面　に添った状態となり、図３（ｅ）にも示すように全体がコンパクトに折り畳まれる。
【００２２】
なお、上記実施例にあっても、第１及び第２の実施例と同様に、支持板３０の上面に滑り止めを設けることができる。また、第１及び第２の実施例で説明したスタンドに第３実施例で説明した三脚を付加することも当然可能である。
【００２３】
本発明の携帯電話機用スタンドは、構成の細部や材料等が上記実施例に限定されることは無く、例えば保持枠を２つ以上設けることも可能であるが、１つか２つの保持枠で携帯電話機を充分に保持することが可能である。また、保持枠にあっては、例えばコ字形状のように一部を開放したものでも良い。さらに、上記各実施例のように、支持板や保持枠の材料にプラスチックやワイヤ等を用いれば、比較的安価で且つ軽量であるとともに成形性も良好である。
【図面の簡単な説明】
【図１】本発明の携帯電話機用スタンドの第１実施例を説明する斜視図（ａ）及び折り畳み状態での下側からの斜視図（ｂ）である。
【図２】本発明の携帯電話機用スタンドの第２実施例を説明する斜視図である。
【図３】本発明の携帯電話機用スタンドの第３実施例を説明する斜視図（ａ）、側面図（ｂ）、展開図（ｃ）、折り畳み状態の底面図（ｄ）及び折り畳み状態の側面図（ｅ）である。
【符号の説明】
Ｔ　　　　　　　　携帯電話機
１０　２０　３０　支持板
１１　２１　　　　第１保持枠
１２　２２　　　　第２保持枠
３１　　　　　　　保持枠
１５　２５　　　　滑り止め
１６　　　　　　　鏡
【図１】
2004065854.tif 000003
【図２】
2004065854.tif 000004
【図３】
2004065854.tif 000005